【事件の表示】
　特願２００２−１２２５３１「光学フィルム、透過型液晶表示装置およびその製造方法」拒絶査定不服審判事件〔平成１５年１１月　６日出願公開、特開２００３−３１５５４５〕について、次のとおり審決する。
【結　論】
　本件審判の請求は、成り立たない。
【理　由】
　
１．手続の経緯
　本願は、平成１４年４月２４日の出願であって、平成１９年９月２５日付け拒絶理由通知に対して、同年１１月２２日付けで手続補正がされたが、平成２０年２月２８日付けで拒絶査定され、これに対して、同年４月８日に拒絶査定不服審判の請求がなされたものである。
　
２．本願発明
　本願の請求項１に係る発明は、平成１９年１１月２２日付け手続補正書で補正された明細書及び図面の記載からみて、その特許請求の範囲の請求項１に記載された次のとおりのもの（以下、「本願発明」という。）と認める。
「【特許請求の範囲】
【請求項１】
　偏光板に、
　光拡散板の表面形状によらず、内部構造の屈折率差による屈折・散乱・反射を用いた光拡散板、
　輝度向上フィルム、
　フィルム表面のプリズム／マイクロレンズアレイ形状によらず、内部構造の屈折率差・位相差による集光効果を利用した集光フィルム、
　がこの順で貼り合わされ一体化していることを特徴とする光学フィルム。」
　
３．引用例
　原査定の拒絶の理由に引用された、本願出願前に頒布された刊行物である特開２００１−１６６１４０号公報（以下、「引用例１」という。）には、以下の技術事項が記載されている。
　
記載事項ア
「【０００７】
【発明の実施形態】本発明による偏光部材は、
グランジャン配向のコレステリック液晶層
無着色透明粒子含有の光拡散層
１がグランジャン配向のコレステリック液晶層
２が光拡散層
４、４１が偏光板
【０００８】
グランジャン配向のコレステリック液晶層については、
利用しうる光量の増大を図って輝度を向上させることができる
　
記載事項イ
「【００１７】
光拡散層は
その配置位置は任意で例えばコレステリック液晶層と１／４波長板の間や１／４波長板の外側などの適宜な位置に配置することができる。
【００１８】
光拡散層は、上記した拡散効果を効率よく得る点より無着色の透明粒子を含有する層として形成される。その光拡散層は、例えば透明粒子含有の樹脂をフィルム化する方式や支持フィルムにコートする方式などの従来に準じた適宜な方式にて製造した光拡散シート等にても形成しうるが、好ましく用いうるものは感圧接着性を示すものである。これによればその光拡散層を介しコレステリック液晶層、１／４波長板、偏光板又は位相差板等を接着一体化でき、別個の接着層の付設を省略できて薄型化を図りうる利点がある。
【００１９】
前記の感圧接着性を示す光拡散層は
例えば粘着層に無着色透明粒子を含有させる方式などにより形成することができる。
【００２３】前記した光透過率の達成性と接着力の制御性などの点より好ましく用いうる無着色透明粒子は、その平均粒径が１〜１０μm、就中９μm以下、特に２〜８μmのものである。また後方散乱を抑制して
透過方向に良好な拡散性をもたせる点などよりは無着色透明粒子の屈折率をｎ
１
、それを含有する樹脂や粘着層等の屈折率をｎ
２
としたとき、式：０．０１＜┃ｎ
１
−ｎ
２
┃＜０．１、就中┃ｎ
１
−ｎ
２
┃＜０．０９、特に−０．０８＜ｎ
１
−ｎ
２
＜−０．０１を満足する組合せとした光拡散層が好ましい。
　
記載事項ウ
「【００３３】前記図例の液晶表示装置によれば、
面光源８による出射光が光拡散シート７で拡散され集光シート６で光路制御されて偏光部材のコレステリック液晶層１に入射し、反射光と透過光に分離されてその透過円偏光が光拡散層２を介し拡散されて１／４波長板３に入射し、それを介し直線偏光化されて偏光板４を吸収ロスの少ない状態で通過し液晶セル５に入射して、視認側の偏光板４１を介して表示光が出射される。
【００３４】前記においては偏光板４による吸収ロスが少ないこと、及びコレステリック液晶層１による反射光が導光板下面側の反射層９で反転しコレステリック液晶層に再入射して透過し、その反射光の利用で光の利用効率が向上することなどにより液晶表示装置の輝度を向上させることができる。・・・
【００３６】また液晶表示装置又は面光源の形成に際しては図例の如く、視認側の偏光板４１や光拡散シート７、
プリズムシートやレンズシート等の集光シート６
　
記載事項エ
「【００３９】
【実施例】例１
厚さ４０μmの三酢酸セルロースフィルムの上にラビング配向膜を介しコレステリック液晶ポリマーを重畳塗布し配向処理してなる反射中心波長が７６０nm、６５０nm、５５０nm又は４３０nmの４層構造からかる
コレステリック液晶層
に屈折率１．４３、平均粒径４μmの無着色透明粒子を含有する屈折率１．４７、厚さ２５μmのアクリル系拡散型粘着層
を介し、
１／４波長板を接着し、更にその１／４波長板の上に微粒子不含有のアクリル系粘着層を介し偏光板を接着積層して偏光部材を得た。
　
　以上、記載事項ア〜エから、引用例１には、次の発明（以下、「引用発明」という。）が記載されていると認められる。
　
「偏光板４に、
　１／４波長板３、
　粘着層に無着色透明粒子を含有させた光拡散層２、
　コレステリック液晶層１、
　がこの順で接着一体化されており、
　さらに、プリズムシートやレンズシート等の集光シート６が、コレステリック液晶層１の光拡散層２とは反対側の面に隣接された、光学素子群。」
　
　次に、原査定の拒絶の理由に引用された、本願出願前に頒布された刊行物である特開２０００−１４７２５０号公報（以下、「引用例２」という。）には、次の事項が記載されている。
　
記載事項オ
「【００６７】本発明において、色相補償板や液晶表示装置を形成するディスコティック系位相差板や
偏光分離層、１／４波長板や偏光板や導光板等の各層は、必要に応じ接着層を介して積層一体化することができる
形成層の積層一体化は、各界面での反射ロスの抑制や各界面への異物等の侵入防止による表示品位等の低下予防、光学系のズレによる補償効率や偏光変換効率等の低下防止などに有効である。その接着処理には、粘着剤等の適宜な接着剤を用いることができる。
　
　また、原査定の拒絶の理由に引用された、本願出願前に頒布された刊行物である特開平６−２３５９００号公報（以下、「引用例３」という。）には、次の事項が記載されている。
　
記載事項カ
「【０００２】
【従来の技術】３つの単色のカソードルミネセンス光源を具えたカラー投影装置に用いられる光源は、ドイツ国特許DE-OS 3836955 号によって知られている。
集光フィルターのように光放射を前方に集める多層干渉フィルター
　
記載事項キ
「【０００７】ルミネセンス層の反射特性は、ドイツ国特許DE-OS 3836955 号で知られた装置の干渉フィルターを、極めて簡単な方法で製造することができる、
逆方向に偏光する２つのコレステリック層の組み合わせによって置き換えることが可能であることを示している。本発明によるこれに対応する解は、コレステリックフィルターが集光フィルターであり、該集光フィルターは連続的に配置されたコレステリック層を有し、該コレステリック層の１つは右旋性方向に偏光し他は同一波長範囲で左旋性方向に偏光し、該組み合わせ層
　
記載事項ク
「【００１２】図２ａは、逆方向に円偏光する２つのコレステリック層の連続的配置の反射率を、角度θ＝０とθ＝６０°について図１と同様に示したものである。図１と対照的に、ルミネセンス放射Ｌの波長範囲は、θ＝０で２つのコレステリック層が完全光を反射する波長範囲λ1'とλ2'の間の近くではあるが、その外側にある。これは、角度θ＝０°のルミネセンス光はコレステリック層を完全に通過することを意味する。しかしながら、入射光がθ＝６０°の場合におけるコレステリック層の反射範囲はλ3'とλ4'の間の値にシフトし、そのため、θ＞６０°の入射光は最初ルミネセンス層の方向に完全に反射する。しかしながら、反射と逆反射とのプロセスが数回繰り返される間に、この層からは大部分が０＜θ＜６０°の範囲の放射角度で逆反射し、そしてコレステリック層を通過する。
最終的には、ルミネセンス放射の大き過ぎる角度θで放射された部分は、高い効率でかなり小さい角度θを持つ放射に変換される。
ルミネセンス層と組み合わせた結果、逆方向に円偏光する２つのコレステリック層は高い透過率を持った集光フィルターとして作用する。
　
３．対比
　
　本願補正発明と引用発明とを対比する。
　
（１）　引用発明の「偏光板４」は、本願発明の「偏光板」に相当する。
　
（２）　引用発明の「粘着層に無着色透明粒子を含有させた光拡散層２」と本願発明の「光拡散板の表面形状によらず、内部構造の屈折率差による屈折・散乱・反射を用いた光拡散板」とを比較すると、記載事項イの段落【００２３】（引用例１）には、該「粘着層」及び「無着色透明粒子」のそれぞれの屈折率が異なる点、及び、これら両者の屈折率差によって、引用発明の光拡散層２の拡散性がもたらされる点が記載されていると言えるので、両者は相当関係にある。
（「【００２３】前記した光透過率の達成性と接着力の制御性などの点より好ましく用いうる無着色透明粒子は、その平均粒径が１〜１０μm、就中９μm以下、特に２〜８μmのものである。また後方散乱を抑制して
透過方向に良好な拡散性をもたせる点などよりは無着色透明粒子の屈折率をｎ１、それを含有する樹脂や粘着層等の屈折率をｎ２としたとき、式：０．０１＜┃ｎ１−ｎ２┃＜０．１、就中┃ｎ１−ｎ２┃＜０．０９、特に−０．０８＜ｎ１−ｎ２＜−０．０１を満足する組合せとした光拡散層が好ましい。
　
（３）引用発明の「コレステリック液晶層１」と本願発明の「輝度向上フィルム」とを比較すると、
　引用発明の「コレステリック液晶層１」は、左右一方の円偏光を透過し他方を反射する特性を有し、この特性により、バックライト等の光源からの光を入射させて所定偏光状態の透過光を得、該透過光を偏光板に吸収されにくい状態で供給し、液晶表示等に利用する光量の増大を図り、その輝度を向上させるものである。
（「【０００８】
グランジャン配向のコレステリック液晶層については、
利用しうる光量の増大を図って輝度を向上させることができる
　一方、本願発明の「輝度向上フィルム」も、左右一方の円偏光を透過し他方を反射する特性を示すものが適宜用いられる。
（本願の当初明細書の記載「【００３０】なお、本発明の輝度向上フィルム、偏光板としては、従来より知られているものを特に制限なく使用できる。
輝度向上フィルムとしては、例えば
コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
　したがって、引用発明の「コレステリック液晶層１」と本願発明の「輝度向上フィルム」は、構成及びその作用効果の点で同じものであると解されるから、両者は相当すると言える。
　
（４）　引用発明の「プリズムシートやレンズシート等の集光シート６」と、本願発明の「フィルム表面のプリズム／マイクロレンズアレイ形状によらず、内部構造の屈折率差・位相差による集光効果を利用した集光フィルム」とを比較すると、両者は共に「集光フィルム」である点で一致する。
　
（５）　引用発明の「さらに、プリズムシートやレンズシート等の集光シート６が、コレステリック液晶層１の光拡散層２とは反対側の面に隣接された」と、
　本願発明の「輝度向上フィルム、
フィルム表面のプリズム／マイクロレンズアレイ形状によらず、内部構造の屈折率差・位相差による集光効果を利用した集光フィルム、
がこの順で貼り合わされ一体化している」とを対比すると、
　上記（３）、（４）をの対比考察から、両者は、「さらに、集光フィルムが、輝度向上フィルムの光拡散板とは反対側の面に配された」点で一致する。
　
（６）　引用発明の「光学素子群」と本願発明の「光学フィルム」を比較すると、
　
ア、　引用発明の「光学素子群」は、「偏光板４」、「１／４波長板３」、「光拡散層２」、「コレステリック液晶層１」、及び「集光シート６」からなり（該「集光シート６」以外は、一体化されたもの）、かつ、これらの形状が、それぞれ層形状（フィルム状）であることは、上記記載事項ウ、エ、及び引用例１の図１から明らかであるから、「光学フィルム（群）」であると言える。
　
イ、　また、本願発明の「光学フィルム」は、「偏光板」「光拡散板」、「輝度向上フィルム」、及び「集光フィルム」の各光学フィルムからなり、かつ、これらが一体化されたものであるから、これも「光学フィルム（群）」であると言える。
　
　したがって、両者は「光学フィルム（群）」である点で一致する。
　
　以上、上記（１）〜（６）の対比考察から、本願発明と引用発明とは、
「偏光板に、
　光拡散板の表面形状によらず、内部構造の屈折率差による屈折・散乱・反射を用いた光拡散板、
　輝度向上フィルム、
　がこの順で一体化しており、さらに、集光フィルムが、輝度向上フィルムの光拡散板とは反対側の面に配された、光学フィルム（群）」である点で一致し、以下の点で相違する。
　
相違点１
　
　集光フィルムの構造として、本願発明では「フィルム表面のプリズム／マイクロレンズアレイ形状によらず、内部構造の屈折率差・位相差による集光効果を利用した」ものであるのに対し、引用発明では「プリズムシートやレンズシート等」である点。
　
相違点２
　
　各光学機能層の一体化の構造として、
　本願発明では、「偏光板」、「光拡散板」、「輝度向上フィルム」、「集光フィルム」が、「この順で貼り合わされ一体化している」のに対し、
　引用発明では、
　
（１）引用発明の「偏光板４」及び「光拡散層２」の間には、「１／４波長板」が挿入されている点。
　
（２）
ア　引用発明の「偏光板４」、「光拡散層２」及び「コレステリック液晶層１」は、この順で「接着」により「一体化」されており、かつ、
　
イ　引用発明の「集光シート６」は、「コレステリック液晶層１」の「光拡散層２」とは反対側の面に隣接するものの、「接着」はされていない点。
　
４．当審の判断
　
　前記相違点１、２について、それぞれ検討する。
　
相違点１について
　
　集光フィルムとして、フィルム表面のプリズム／マイクロレンズアレイ形状によらず、内部構造の屈折率差・位相差による集光効果を利用したものは、光学素子の分野において、従来周知である。
（例えば、引用例３の上記記載事項カ〜ク（「
集光フィルターのように光放射を前方に集める多層干渉フィルター
逆方向に円偏光する２つのコレステリック層は高い透過率を持った集光フィルターとして作用
その場合、再入射光の一部は拡散層２を介した拡散で円偏光分離層に垂直入射しうる光に変換され
従って斜め入射光の戻り光の内、拡散で円偏光分離層に垂直入射しうる光に変換される
　したがって、引用発明の集光フィルムとして、上記従来周知の、内部構造の屈折率差・位相差による集光効果を利用したフィルムに置き換えることは、当業者であれば適宜なす程度の事項である。
　
相違点２について
　
（１）について
　
　光学素子を透過して得られた円偏光の光を偏光板に入射し、その出射光を利用する際に、該偏光板の光入射面側に１／４波長板を設けるかどうかを必要に応じて選択する技術思想は、従来周知の事項である。
（例えば、本願出願前に頒布された刊行物である特開平１０−３２１０２５号公報の記載（「【００５０】上記の図４に例示の如く１／４波長板３の上には必要に応じて偏光板４を設けることができる。かかる形態の光学素子は、その偏光板を液晶セルの光源側の偏光板として利用することができる。
また偏光板は、円偏光分離層に１／４波長板を介することなく配置してもよく
　したがって、引用発明の構成において、「１／４波長板」を介さずに「偏光板４」と「光拡散層２」を直接接着することは、当業者がその用途に応じて、適宜なす程度の設計的事項である。
　
（２）について
　
ア　各光学機能層は「接着」により「一体化」されている点について
　
　本願発明の「貼り合わされ一体化している」とは、本願の明細書の段落【００２５】「光拡散板は、独立した板として作製せず、粘着材中にフィラーを分散することで
光拡散粘着材とし、偏光板・輝度向上フィルム・集光フィルムなどを貼り合わせる際に用いる
　
イ　「集光シート６」は、「コレステリック液晶層１」の「光拡散層２」とは反対側の面に隣接するものの、「接着」はされていない点について。
　
　複数の光学機能層（またはフィルム）を重畳して、所定の用途（表示用など）に適した光学素子を形成する際に、各光学機能層間の、界面への異物等の侵入や光学系のズレによる補償効率の低下など、該光学素子全体の機能や効率の低下を防止するために、各光学機能層（フィルム）を接着し積層一体化することは、光学素子の分野においては、従来周知である（例えば、記載事項オ）。
　したがって、引用発明においても、上記周知の技術思想（積層一体化）を採用し、「偏光板４」、「光拡散層２」、「コレステリック液晶層１」を接着一体化した「光学素子」に対して、引用発明の「コレステリック液晶層１」に隣接配置された「集光フィルム６」（さらには、上記「相違点１について」で検討したように、引用発明の「集光フィルム６」として、従来周知である「フィルム表面のプリズム／マイクロレンズアレイ形状によらず、内部構造の屈折率差・位相差による集光効果を利用」した集光フィルムに置き換えた場合も同様に）を、さらに接着し、全体として一体化する程度のことは、当業者であれば容易に想到し得るものである。
　
　また、本願発明によってもたらされる効果は引用例１乃至３の記載及び周知の事項から当業者が予測し得る範囲内のものである。　
　
まとめ
　
　よって、本願補正発明は、引用例１乃至３に記載された発明及び周知の事項に基づいて、当業者が容易に発明をすることができたものである。　
　　
４．むすび
　
　以上のとおり、本願発明は、当業者からみて、原査定の拒絶の理由に引用された引用例１乃至３に記載された発明、及び周知の事項に基づいて、当業者が容易に発明をすることができたものであるので、特許法第２９条２項の規定により特許を受けることができないものである。
　したがって、その余の請求項について論及するまでもなく、本願は、拒絶すべきものである。
　
　よって結論のとおり審決する。